(57)【特許請求の範囲】
【請求項１】
広告表示板部と、係止片を有する係止板部との一体成形体から成る差し込み板が、蓋板の前端部に折曲可能に連成されていると共に、前記係止片と係止する切欠部を有する折り込みフラップが、前面板の上端部に折曲可能に連成されていることを特徴とする販売促進陳列用空箱。
【請求項２】
前記係止片が、舌片状の切れ目により形成され、前記蓋板と広告表示板部の折曲部に、広告表示板部の引き上げ操作用切れ目が形設され、かつ前記空箱が、扁平状に折り畳み可能な紙製又は樹脂製であることを特徴とする請求項１記載の販売促進陳列用空箱。
【発明の詳細な説明】
【技術分野】
【０００１】
本発明は、販売促進陳列用空箱、更に詳細には商品を内部に収納することなく、店頭等において各種商品の販売促進のために陳列して使用する広告用空箱に関するものである。
【背景技術】
【０００２】
従来、各種商品の小売販売に当たり、当該商品自体の説明表示や当該商品に関する広告表示は、一般に当該商品の包装用箱面に表示することによって行なわれている。
然るところ、医薬品、医薬部外品、化粧品等を初めとして、今日、商品の説明や取り扱いに関して表示すべき事項、あるいは当該商品の広告に関して表示したい事項が増大しており、包装用箱面のみでは表示面積が不足すると云う問題があった。
斯かる問題を解消するものとして、箱自体の構成には関与しない表示専用の表示片を連設した表示片付包装用箱が既に報告されている（特許文献１参照）。
【０００３】
しかしながら、当該表示片付包装用箱の表示片は、単に折り曲げ可能に連設された突出片に過ぎなかったため、箱との一体的な立体感に乏しいと云う問題があった。また、一旦包装用箱面と接するように折り曲げられると、所謂折りぐせがついて、伸展時に当該表示片面と当該表示片が連設されている包装用箱面とを同一水平面状態に保持し得ないと共に、そもそも当該突出表示片は固定不能で動き易いと云う問題があった。
そのため、包装用箱の前面と表示片面とを共に見る者の正面に位置せしめることができない結果、陳列の際に折角の表示片を有効に利用できず、包装用箱としてはともかく、販売促進用陳列広告媒体としては用をなさないのが実状であった。
【先行技術文献】
【特許文献】
【０００４】
【特許文献１】特開２００１−２１５４４９号公報
【発明の概要】
【発明が解決しようとする課題】
【０００５】
本発明は、上記の如き従来の問題と実状に鑑みてなされたものであり、使用時における正面視において、看者に対するアピール性が高いと共に、使用時、不使用時共に安定的に保持固定することができる広告表示部を備えた販売促進陳列用空箱を提供することを課題としている。
【課題を解決するための手段】
【０００６】
本発明者は、当該課題を解決すべく種々検討を重ねた結果、空箱の蓋板に、広告表示部と係止部とを有する差し込み板を折曲可能に連成すると共に、同空箱の前面板に、前記係止部と係止する切欠部を有する折り込みフラップを折曲可能に連成すれば、極めて良い結果が得られることを見い出し、本発明を完成した。
【０００７】
すなわち、本発明は、広告表示板部と、係止片を有する係止板部との一体成形体から成る差し込み板が、蓋板の前端部に折曲可能に連成されていると共に、前記係止片と係止する切欠部を有する折り込みフラップが、前面板の上端部に折曲可能に連成されていることを特徴とする販売促進陳列用空箱により上記課題を解決したものである。
【発明の効果】
【０００８】
本発明においては、蓋板に連成された差し込み板中に、広告表示板部が形成されているため、当該広告表示板部を露出せしめて差し込み板を箱内部に差し込めば、当該広告表示板部は、実際には傾斜面ではあるものの、正面視においては、見掛け上前面板と連続した面となるので、箱自体を構成する面として一体的な立体感が得られ、看者に対するアピール性が高まる。
また、当該広告表示板部の露出状態（すなわち使用時）においては、差し込み板中の係止片と折り込みフラップの切欠部とが係止するので、安定的に当該表示状態が保持固定され、上方に広告表示部が抜け出てしまうことも防止される。
従って、本発明によれば、表示すべき情報量の増大に対応し得ることはもとより、商品のキャッチコピー等の表示につき、看者の注意をより強く引くアピール性のある広告表示を安定的に行うことができる。
【０００９】
他方、当該広告表示板部を露出せしめることなく、差し込み板全体を箱内部に差し込めば（すなわち不使用時）、当該広告表示板部は箱内部に安定した状態で収納保持される。また、当該箱の上面はフラットな面となるので、当該空箱を適宜数積み重ね、最上部の空箱のみ広告表示板部を露出せしめて広告表示に供することもできる。
【図面の簡単な説明】
【００１０】
【図１】差し込み板を上方に抜き出した状態の本発明空箱の斜視図。
【図２】差し込み板を全て箱内に差し込んだ状態の本発明空箱の斜視図。
【図３】広告表示板部を露出せしめた状態の本発明空箱の斜視図。
【図４】広告表示板部の使用例を示す本発明空箱の正面図。
【図５】図４のＡ−Ａ線断面図。
【図６】本発明空箱の底板を開口した状態の底面図。
【図７】本発明空箱の展開説明図。
【発明を実施するための形態】
【００１１】
以下本発明の実施の形態を図面と共に説明する。
【００１２】
図１〜図６において、Ｐは空箱で、前面板１０、背面板２０、左側面板３０、右側面板４０、蓋板５０及び底板６０から構成されている（特に、図１及び図５参照）。この空箱Ｐの具体的な材質や形態は特に制限されないが、例えば図７に示すような紙製あるいは樹脂製の展開体を組み立て、扁平状に折り畳み可能にするのが輸送や保管を効率良く行なうことができ、より望ましい。この場合、箱の折曲部分は折曲操作を容易にするため型押し加工部を設けるのが好ましい。
【００１３】
蓋板５０は折曲により空箱Ｐの開口部を開閉するもので、背面板２０に折曲可能に連成されていると共に、その前端部には、差し込み板７０が谷折線７１ｎを介して折曲可能に連成されている。この差し込み板７０は、広告表示板部７１と係止板部７２との谷折線７２ｎを介する一体成形体から構成されている。この係止板部７２には舌片状の切れ目７２ａにより、後述する折り込みフラップ８０と係止する係止片７２ｂが形成されている。また、当該蓋板５０と広告表示板部７１との谷折線７１ｎ部には、広告表示板部７１の引き上げ操作用切れ目７１ａが形設されている。
【００１４】
前面板１０の上端部には、折り込みフラップ８０が折曲可能に連成されている。この折り込みフラップ８０の前端縁の略中央部には、係止板部７２の係止片７２ｂと係止し易い形状の切欠部８１が形設されている。
【００１５】
尚、３１及び４１はそれぞれ左側面板３０、右側面板４０に折曲可能に連成されている、中蓋フラップである。
【００１６】
次に斯かる空箱Ｐの使用方法を説明する。
まず、図１に示されるように、差し込み板７０全体が抜き出された状態の空箱Ｐにおいて、当該差し込み板７０全体を谷折線７１ｎに沿って内方に折りながら、かつ折り込みフラップ８０を箱内部に折り込みつつ、開口部から箱内部に差し込めば、図２に示すように、開口部が蓋板５０で閉止された状態となる。因みに、この状態において広告表示板部７１は箱内部に安定した状態で収納保持されている。また、この状態の空箱Ｐは、その上面がフラットな面となっているので、空箱Ｐを適宜数積み重ねて陳列することもできる。
【００１７】
次に、当該図２に示される状態の空箱Ｐにおいては、谷折線７１ｎ部に形設された切れ目７１ａの端部が露出しているので、当該切れ目７１ａの露出部に指を当てつつ、上方に引き上げれば広告表示板部７１が箱内部から露出し、図３に示すような傾斜面となる。而して、当該広告表示板部７１の外面部に予め商品の説明やキャッチコピー等を表示しておけば、図４に示すように、正面視において前面板１０と広告表示板部７１が連続した面となるので、当該広告表示板部７１も箱自体を構成する面として一体的な立体感が得られ、当該商品のキャッチコピー等の表示の看者に対するアピール性が高まる。
【００１８】
当該広告表示板部７１が箱内部から露出している状態（図３及び図４参照）においては、図５及び図６に示すように、箱内部に差し込まれている係止板部７２においてやや外方に折曲されて舌状に突出した係止片７２ｂが、折り込みフラップ８０の切欠部８１と係止し、それ以上の引き上げに対し、ストッパーとして機能するので、差し込み板７０（広告表示板部７１及び係止板部７２）全体が抜き出てしまうことはなく、安定的に当該表示状態が保持固定される。
【００１９】
一方、当該係止片７２ｂと切欠部８１との係止状態を手指で解除し、係止板部７２を上方に引き上げれば差し込み板７０（広告表示板部７１及び係止板部７２）全体が抜き出され、図１に示すような状態となり、不使用時においては空箱Ｐを折り畳んで保管することもできる。
【符号の説明】
【００２０】
Ｐ：空箱
１０：前面板
２０：背面板
３０：左側面板
３１：中蓋フラップ
４０：右側面板
４１：中蓋フラップ
５０：蓋板
６０：底板
７０：差し込み板
７１：広告表示板部
７１ａ：切れ目
７１ｎ：谷折線
７２：係止板部
７２ａ：切れ目
７２ｂ：係止片
７２ｎ：谷折線
８０：折り込みフラップ
８１：切欠部
【図１】
0005878068.tif 000002
【図２】
0005878068.tif 000003
【図３】
0005878068.tif 000004
【図４】
0005878068.tif 000005
【図５】
0005878068.tif 000006
【図６】
0005878068.tif 000007
【図７】
0005878068.tif 000008